(57)【特許請求の範囲】
【請求項１】
ＴＶ番組を受信する受信手段と、
前記ＴＶ番組中に現れるキー情報とそのキー情報が現れたときに遡行して記録する遡行録画時間及びキー情報が現れた後の継続録画時間の対応関係を記憶したキー情報テーブルと、
前記受信手段で受信されたＴＶ番組中のキー情報を基にして前記キー情報テーブルに記憶された遡行録画時間及びこれに続く継続録画時間に相当する前記ＴＶ番組の一部の場面を抽出する抽出手段と、
前記抽出手段で抽出された場面を記憶する記憶手段とを備え、
前記抽出手段は、編集部と、前記受信手段で受信されたＴＶ番組を一時記憶する一時記憶手段を備え、前記ＴＶ番組中のキー情報が検出されたら当該キー情報に対応する遡行録画時間及び継続録画時間を前記キー情報テーブルから抽出し、前記編集部が、前記受信されたＴＶ番組を前記継続録画時間だけ録画すると共に、前記一時記憶手段に記憶されたＴＶ番組のうち前記キー情報が検出された時点から前記遡行録画時間だけ遡った時間までの場面を前記録画された継続録画時間の場面に結合することにより前記ＴＶ番組の一部の場面を抽出するものである
ことを特徴とする情報収集装置。
【請求項２】
前記一時記憶手段は、前記一部の場面抽出後にその記憶が削除されるものであることを特徴とする請求項１記載の情報収集装置。
【請求項３】
前記記憶手段はネットワークを経由してアクセスできる請求項１または２記載の情報収集装置。
【請求項４】
ＴＶ番組を受信する受信工程と、
前記受信工程で受信されたＴＶ番組を一時記憶手段に一時的に録画する工程と、
前記受信工程で受信されたＴＶ番組中のキー情報を検出する工程と、
前記検出されたキー情報に対する遡行録画時間及び継続録画時間を取得する工程と、
前記キー情報が検出されてから前記継続録画時間だけ前記受信されたＴＶ番組を録画する工程と、
前記一時記憶手段に記録されている、前記キー情報が検出された時点から前記遡行録画時間だけ遡った時間までの場面を前記一時記憶手段から抽出して録画された前記継続録画時間の場面に結合して記録手段に記録する工程と
を備えたことを特徴とする情報収集方法。
【発明の詳細な説明】
【０００１】
【発明の属する技術分野】
本発明は、ＴＶ番組中の情報を収集するための情報収集装置および情報収集方法に関する。
【０００２】
【従来の技術】
従来より、例えば料理番組のようなノウハウを紹介するＴＶ番組があり、視聴者の人気を博している。そして、近年のＴＶ番組の多チャンネル化により、このようなノウハウ紹介番組も多数提供されており、視聴者はこれらから多くのノウハウを得ることが可能である。
【０００３】
【発明が解決しようとする課題】
しかし、多数のノウハウ紹介番組の全てを最初から最後まで見るには時間がかかり、視聴者は一般的にそのような余裕はない。このため、紹介された全てのノウハウを視聴者が見るのは困難であった。
本発明は、かかる問題点に鑑みてなされたもので、視聴希望場面を効率的に得ることができる情報収集装置および情報収集方法を提供することを目的とする。
【０００４】
【課題を解決するための手段】
本発明に係る情報収集装置は、ＴＶ番組を受信する受信手段と、前記ＴＶ番組中に現れるキー情報とそのキー情報が現れたときに遡行して記録する遡行録画時間及びキー情報が現れた後の継続録画時間の対応関係を記憶したキー情報テーブルと、前記受信手段で受信されたＴＶ番組中のキー情報を基にして前記キー情報テーブルに記憶された遡行録画時間及びこれに続く継続録画時間に相当する前記ＴＶ番組の一部の場面を抽出する抽出手段と、前記抽出手段で抽出された場面を記憶する記憶手段とを備え、前記抽出手段は、編集部と、前記受信手段で受信されたＴＶ番組を一時記憶する一時記憶手段を備え、前記ＴＶ番組中のキー情報が検出されたら当該キー情報に対応する遡行録画時間及び継続録画時間を前記キー情報テーブルから抽出し、前記編集部が、前記受信されたＴＶ番組を前記継続録画時間だけ録画すると共に、前記一時記憶手段に記憶されたＴＶ番組のうち前記キー情報が検出された時点から前記遡行録画時間だけ遡った時間までの場面を前記録画された継続録画時間の場面に結合することにより前記ＴＶ番組の一部の場面を抽出するものであることを特徴とする。
本発明に係る情報収集装置によれば、ＴＶ番組中のキー情報を基にして場面を抽出して記憶するので、視聴者はキー情報に関する場面を効率的に見ることができる。さらに、一時記憶手段は、キー情報検出時から遡る遡行録画時間分の情報だけを記録すれば良いので、記憶容量の大幅な削減が可能である。
【０００５】
本発明に係る情報収集装置の一時記憶手段は、前記一部の場面抽出後にその記憶が削除されるものとすることができる。これによれば、キー情報テーブルに基づき抽出するために記憶したＴＶ番組は一部の場面の抽出後に削除されるので、情報収集装置の記憶容量を節約することができる。
【０００６】
本発明に係る情報収集装置の記憶手段は、ネットワークを経由してアクセスできるようにすることができる。これによれば、自己の獲得した視聴希望場面を容易に他人と共有することができる。
【０００８】
本発明に係る情報収集方法は、ＴＶ番組を受信する受信工程と、前記受信工程で受信されたＴＶ番組を一時記憶手段に一時的に録画する工程と、前記受信工程で受信されたＴＶ番組中のキー情報を検出する工程と、前記検出されたキー情報に対する遡行録画時間及び継続録画時間を取得する工程と、前記キー情報が検出されてから前記継続録画時間だけ前記受信されたＴＶ番組を録画する工程と、前記一時記憶手段に記録されている、前記キー情報が検出された時点から前記遡行録画時間だけ遡った時間までの場面を前記一時記憶手段から抽出して録画された前記継続録画時間の場面に結合して記録手段に記録する工程とを備えたことを特徴とする。
本発明に係る情報収集装置によれば、ＴＶ番組中のキー情報を基にして場面を抽出して記憶するので、視聴者はキー情報に関する場面を効率的に見ることができる。さらに、一時記憶手段は、キー情報検出時から遡る遡行録画時間分の情報だけを記録すれば良いので、記憶容量の大幅な削減が可能である。
【０００９】
【発明の実施の形態】
以下、図面に基づいて本発明の一実施形態（以下、本実施形態という）に係る情報収集装置について説明する。図１はこの装置の機能ブロック図の一例であり、まず、本実施形態の概要を説明する。
情報収集装置１は、視聴希望場面の一例であるノウハウ場面を収集する。すなわち、料理番組のようなノウハウ紹介番組における出演者の発言の中から、視聴者が予め選択した「今日のポイント」のようなキーフレーズ（キー情報の一例）をサーチし、キーフレーズが見つかるとその前後数分の録画シーンを編集して記憶するのである。したがって、本実施形態によれば、ノウハウ紹介番組中、視聴者が興味を示す場面であるノウハウ場面を選択的に見ることができる。この結果、ＴＶ番組が多チャンネル化することにより多数のノウハウ紹介番組が提供されるようになっても、紹介されるノウハウを効率的に獲得することができる。なお、以下においては、ノウハウ場面を記録することを想定して実施形態を説明するが、「ノウハウ場面」は、「視聴希望場面」と同様の意味として扱う。また、「視聴希望場面」とは、設定したキーフレーズ等の条件によって抽出される場面であって、必ずしも視聴を希望する場面となるとは限られない。
【００１０】
次に、図１を用いて本実施形態に係る情報収集装置１の構成を詳細に説明する。情報収集装置１は、ＴＶ番組を受信する受信部３と、ノウハウ場面を抽出するための各種処理がされる抽出部５と、抽出部５で抽出されたノウハウ場面を記憶する記憶部７と、記憶部７に格納されたノウハウ場面を知識ベース化した知識データベース（以下知識ＤＢという）９と、記憶部７に格納されたノウハウ場面を視聴者の希望に応じて再生処理をするノウハウ場面再生部１１と、再生部１１で再生されたノウハウ場面の画像を表示する画像表示部１３と、そのノウハウ場面の音声を出力する音声出力部１５と、ノウハウ場面を再生する際のコマンドなどが入力される入力部１７と、を備える。ノウハウ場面記憶部７と知識ＤＢ９とが本発明に係る記憶手段と対応している。
【００１１】
ＴＶ番組受信部３は本発明に係る受信手段と対応する。受信部３で受信するＴＶ番組を提供するメディアとしては、地上波ＴＶ、衛星ＴＶ、ケーブルＴＶ、インターネットＴＶなどがある。ＴＶ番組はこれらのメディアに応じて、アンテナ、ケーブル、インターネットなどを通じて受信される。本実施形態の対象となるＴＶ番組は料理番組である。これ以外でもノウハウ紹介番組（例えば楽器やスポーツのレッスン番組）であれば、本発明を適用できる。ＴＶ番組のうち特にノウハウ紹介番組については、ノウハウ場面だけを視聴すれば十分と考える視聴者が多いので、本発明をノウハウ場面の収集に適用するのが好ましい。
【００１２】
なお、ノウハウ紹介番組に限らず、視聴希望場面を含むＴＶ番組ならば本発明を適用できる。例えば、スポーツ番組であれば視聴を希望する選手の登場等や歌謡番組であれば視聴を希望する歌手の登場等の視聴希望場面を選択的に見ることができる。
【００１３】
抽出部５は、受信部３で受信されたＴＶ番組の受信情報（つまり映像信号、音声信号、およびこれらの制御信号）が送られる音声情報取出部１９と、同じくこの受信情報が送られる編集部２１および受信情報一時記憶部２３と、音声情報からキーフレーズをサーチするサーチ部２５と、ここでサーチするキーフレーズを予め格納しているテーブル２７と、を備える。抽出部５は本発明に係る抽出手段と対応する。
【００１４】
音声情報取出部１９は、受信情報の中から音声信号を取り出し、これをキーフレーズサーチ部２５に送る。サーチ部２５ではこの音声信号の中からキーフレーズテーブル２７に格納されているキーフレーズと同じものをサーチする。テーブル２７には、例えば図２に示すような情報が予め視聴者により入力部１７を利用して格納されている。
【００１５】
図２に示すように、キーフレーズテーブル２７には、料理番組に関するキーフレーズとこれに対応する録画時間が格納されている。キーフレーズは「コツは何でしょう」等、料理番組のノウハウ場面と関連するものである。録画時間は、キーフレーズから遡って録画する遡行録画時間と、キーフレーズ後に録画する継続録画時間と、から構成される。つまり、キーフレーズの前後の所定時間が録画され、これがノウハウ場面となる。図３に示す「今日のポイント」を例にすれば、料理番組の出演者が番組中に「今日のポイント」と発言すると、この前後合計４分の内容が録画される。これはノウハウ場面が含まれると予測される範囲である。なお、キーフレーズより後のみを録画してもよいし、前のみを録画してもよい。また、キーフレーズや録画時間（遡行、継続）は視聴者が自由に決めることができるが、予めプログラムとしてテーブル２７に格納されていてもよい。
【００１６】
受信情報一時記憶部２３は、受信部３で受信された受信情報を一時的に格納するものであり、詳しくいうと、ノウハウ場面を抽出するためにＴＶ番組が記憶されると共にノウハウ場面抽出後にその記憶が削除される。
【００１７】
編集部２１はサーチ部２５でキーフレーズが取り出されると、その継続録画時間分だけキーフレーズ後の場面（シーン）を録画すると共に一時記憶部２３に既に格納されている場面の中からキーフレーズ前の遡行録画時間分だけを取り出す。そして、編集部２１は、これらの録画した場面を接続してノウハウ場面を編集した後、この編集したもの（つまりノウハウ場面）を記憶部７に書込む。
【００１８】
知識ＤＢ９はノウハウ場面記憶部７に記憶されているノウハウ場面を視聴者が利用しやすいようにデータ化したものである。例えば、ノウハウ場面としての４分の録画場面のうち不要な場面を削除したものを知識ＤＢ９に格納する処理や、ノウハウ場面として記憶された場面が実際には役に立たない場合、このノウハウ場面を知識ＤＢ９に格納しない処理等がされている。知識ＤＢ９はインターネット２９のようなネットワークと接続されているので、知識ＤＢ９に格納されたデータを他人の利用に供することができる。これにより、例えば、他人は知識ＤＢ９に格納されているノウハウ場面と対応するキーフレーズを検索することにより、その他人が欲するノウハウ場面を容易に取得できる。
【００１９】
情報収集装置１を構成する上記ブロックのうち、情報処理をするブロック（ＴＶ番組受信部３、ノウハウ場面再生部１１、音声情報取出部１９、編集部２１、キーフレーズサーチ部２５）については、例えば各種プロセッサ（ＣＰＵ、ＭＰＵ）やＡＳＩＣと所定のプログラムとによりその機能を実現できる。また、情報記憶をするブロック（ノウハウ場面記憶部７、知識ＤＢ９、編集部２１、受信情報一時記憶部２３、キーフレーズテーブル２７）については、情報を記憶することができるもの、例えばハードディスク、ＥＥＰＲＯＭのような半導体メモリによりその機能を実現することができる。
【００２０】
また、画像表示部１３についてはＣＲＴやＬＣＤなどのハードウェアにより、音声出力部１５についてはスピーカなどにより、入力部１７についてはキーボードやマウスなどにより、それぞれの機能が実現できる。
【００２１】
次に、本実施形態に係る情報収集方法について図１および図４を用いて説明する。図４はこれを説明するためのフローチャートである。なお、この説明は本実施形態に係る情報収集装置１の動作の説明ともなる。
【００２２】
まず、放送局からのＴＶ番組（本実施形態では料理番組）が受信部３により受信される（ステップＳ１）。これが本発明に係る受信工程と対応する。この受信されたＴＶ番組の受信情報は、音声情報取出部１９、編集部２１、受信情報一時記憶部２３にそれぞれ送られる。編集部２１に送られた受信情報は、後で述べるキーフレーズ発見の合図があるまで録画されず、そのまま受信情報を破棄する。一方、一時記憶部２３に送られた受信情報はそこで一時的に記憶しておき、ノウハウ場面の編集の際に利用する。
【００２３】
さて、音声情報取出部１９に送られた受信情報は、その中から音声信号だけが取り出され、映像信号や制御信号はキーフレーズのサーチに関係しないので廃棄される。音声信号はサーチ部２５に送られ、そこでテーブル２７に格納されているキーフレーズと同じキーフレーズをサーチする（ステップＳ３）。キーフレーズが受信されるまでそのサーチがされる（ステップＳ５）。
【００２４】
音声信号の中にキーフレーズ（例えば、「今日のポイント」）が含まれていることが発見されると、サーチ部２５はテーブル２７に格納されている図２に示す情報のうち、そのキーフレーズと対応する録画時間（ここでは遡行録画時間が１分、継続録画時間３分）を取得する（ステップＳ７）。
【００２５】
サーチ部２５は取得した録画時間に関する情報を編集部２１に送る。編集部２１はそのキーフレーズ以後の場面の受信情報の記録（つまり現在のＴＶ信号の録画）を開始する（ステップＳ９）。そして、継続録画時間（ここでは３分）が経過するまで録画が続けられる（ステップＳ１１）。
【００２６】
継続録画時間が経過したとき、一時記憶装部２３に記憶されている受信情報のうち、そのキーフレーズより前の場面のうち遡行録画時間（ここでは１分）分だけ取り出す（ステップＳ１３）。つまりそのキーフレーズより過去のＴＶ信号を取得するのである。
【００２７】
そして、編集部２１は、上記録画および取得された受信情報の編集をする。つまり、キーフレーズから後の現在のＴＶ信号録画分とキーフレーズより前の過去のＴＶ信号録画分とを接続するのである（ステップＳ１５）。ステップＳ３からステップＳ１５が本発明に係る抽出工程と対応する。なお、編集部２１で上記現在のＴＶ信号の録画をせずに、一時記憶装部２３に記憶されている受信情報のうち、そのキーフレーズより後の場面のうち継続録画時間分だけ取り出して、遡行録画時間分と接続するようにしてもよい。
【００２８】
ステップＳ１５でノウハウ場面の編集が終了して、この編集したものをノウハウ場面記憶部７に記憶する（ステップＳ１７）。これが本発明に係る記憶工程と対応する。以上が本実施形態に係る情報収集方法である。
【００２９】
ノウハウ場面を視聴したい場合は例えば、以下のようにして行う。視聴者がノウハウ場面のインデックス（例えば、図２に示すキーフレーズおよび、それに対応するノウハウ場面の録画時間など）を表示する旨のコマンドを入力部１７に入力する。これにより再生部１１は記憶部７の中からこのインデックスを取り出して、画像表示部１３に表示させる。画像表示部１３に表示されたインデックスのうち、所望のキーフレーズを視聴者が入力部１７を利用してクリックすることにより、再生部１１が記憶部７に格納されているそのノウハウ場面を取り出して、画像表示部１３および音声出力部１５により再生される。
【００３０】
なお、一時記憶部２３は本発明に係る一時記憶手段と対応する。一時記憶部２３において、ノウハウ場面の編集後、そのノウハウ場面を含む前の場面は不要なので、ノウハウ場面の編集後毎にそのノウハウ場面を含む前の場面全てを順次削除する処理がされる。また、一時記憶部２３において、そのＴＶ番組終了までそのＴＶ番組の録画を続け終了後にＴＶ番組全体を削除する処理をしてもよい。よって、本実施形態によれば、情報収集装置１の記憶容量を節約できる（特に前者の処理）。本発明に係る一時記憶手段の機能である視聴希望場面抽出後に記憶したＴＶ番組を削除するとは、上記二つの処理を意味する。なお、一時記憶部２３の替わりにそのＴＶ番組を記憶するものを設けてもよい。これによれば、そのＴＶ番組の再生が可能である。
【００３１】
なお、本実施形態では音声信号のうちのキーフレーズを視聴希望場面の収集の合図としているが、これに限定されない。例えば、特定の文字情報（例えば番組の始まり）や有名人（例えば料理人、芸能人、コンサルタント）の画像情報を合図にすることもできる。また、視聴希望場面の収集の合図となるキュー信号がＴＶ番組の受信情報に含まれるようしてもよい。つまり、これは情報収集装置１を前提とした番組提供者のサービスである。
【００３２】
【発明の効果】
以上述べたように、本発明に係る情報収集装置および情報収集方法によれば、ＴＶ番組のうち視聴を希望する場面を抽出して記憶するので、視聴者は自己の興味のある場面を効率的に見ることができる。この結果、ＴＶ番組が多チャンネル化することにより多数のＴＶ番組が提供されるようになっても、時間の浪費を防ぐことができる。
【図面の簡単な説明】
【図１】  本実施形態に係る情報収集装置の一例の機能ブロック図である。
【図２】  本実施形態に係る情報収集装置のキーフレーズテーブルに格納されている情報の一例を示す図である。
【図３】  本実施形態において収集できるノウハウ場面の録画時間範囲の一例を示す図である。
【図４】  本実施形態に係る情報収集方法の一例のフローチャートである。
【符号の説明】
１・・・情報収集装置
３・・・ＴＶ番組受信部
５・・・抽出部
７・・・ノウハウ場面記憶部
９・・・知識データベース
１１・・・ノウハウ場面再生部
１３・・・画像表示部
１５・・・音声出力部
１７・・・入力部
１９・・・音声情報取出部
２１・・・編集部
２３・・・受信情報一時記憶部
２５・・・キーフレーズサーチ部
２７・・・キーフレーズテーブル
２９・・・インターネット
【図１】
0003797941.tif 000002
【図２】
0003797941.tif 000003
【図３】
0003797941.tif 000004
【図４】
0003797941.tif 000005